(57)【要約】【課題】カード基材に転写された保護膜のばりを除去できるようにする。【解決手段】実施形態のカード作成装置は、画像形成部と、転写部と、除去部と、を備えた。前記画像形成部は、カード基材の一面に画像を形成する。前記転写部は、基材および前記基材に重ねられた膜を有した転写体の前記膜を、前記画像が形成された前記一面に転写する。前記除去部は、前記カード基材に転写された前記膜のばりを除去する。【選択図】図１
2014054751.tif 000002
【特許請求の範囲】
【請求項１】
カード基材の一面に画像を形成する画像形成部と、
基材および前記基材に重ねられた膜を有した転写体の前記膜を、前記画像が形成された前記一面に転写する転写部と、
前記カード基材に転写された前記膜のばりを除去する除去部と、
を備えたカード作成装置。
【請求項２】
前記膜が形成された前記カード基材を搬送する搬送部を備え、
前記除去部は、前記搬送部による前記カード基材の搬送中に前記膜と当たることで前記ばりを除去する当部を有する請求項１に記載のカード作成装置。
【請求項３】
前記膜が形成された前記カード基材を集積する集積部を備え、
前記除去部は、前記転写部から前記集積部への前記搬送部による前記カード基材の搬送中に前記ばりを除去する請求項２に記載のカード作成装置。
【請求項４】
前記カード基材は、第一の幅方向の第一の端部と前記第一の幅方向と交差する第二の幅方向の第二の端部とを有し、
前記搬送部は、前記第一の幅方向が搬送方向に沿う状態で前記カード基材を前記転写部から前記集積部へ向けて搬送し、
前記除去部は、前記第一の幅方向が搬送方向に沿う状態での前記搬送部による前記カード基材の搬送中に、前記第二の端部の前記ばりを除去する請求項３に記載のカード作成装置。
【請求項５】
前記集積部は、前記第二の幅方向に沿って並べられて複数設けられ、
前記搬送部は、前記第一の幅方向が搬送方向に沿う状態で前記カード基材を搬送してから前記第二の幅方向が搬送方向に沿う状態で前記カード基材を搬送して、前記カード基材を前記複数の集積部のいずれか一つに入れ、
前記除去部は、前記第二の幅方向が搬送方向に沿う状態での前記搬送部による前記カード基材の搬送中に、前記第一の端部の前記ばりを除去する請求項４に記載のカード作成装置。
【請求項６】
前記除去部は、前記当部を含み弾性を有した板部を有する請求項２ないし５のいずれか一項に記載のカード作成装置。
【請求項７】
前記当部は、前記一面に対して傾斜して設けられ、前記カード基材の前記一面側から前記カード基材の他面側に向かうにつれ前記カード基材の中央部から離れる請求項２ないし６のいずれか一項に記載のカード作成装置。
【請求項８】
前記当部は、前記一面に対する垂直方向の位置を可変に設けられた請求項７に記載のカード作成装置。
【請求項９】
前記除去部は、前記当部を含み固定部に着脱可能に取り付けられた板部材を有する請求項２ないし８のいずれか一項に記載のカード作成装置。
【請求項１０】
前記除去部によって除去された前記ばりを集める集塵部を備えた請求項１ないし９のいずれか一項に記載のカード作成装置。
【発明の詳細な説明】
【技術分野】
【０００１】
本発明の実施形態は、カード作成装置に関する。
【背景技術】
【０００２】
従来、例えば運転免許証などのカードを作成するカード作成装置が知られている。
【先行技術文献】
【特許文献】
【０００３】
【特許文献１】特開２００５−１７８２０６号公報
【発明の概要】
【発明が解決しようとする課題】
【０００４】
しかしながら、従来技術においては、一例として、カード基材に転写した保護膜にばりが発生することがある。
【課題を解決するための手段】
【０００５】
実施形態のカード作成装置は、画像形成部と、転写部と、除去部と、を備えた。前記画像形成部は、カード基材の一面に画像を形成する。前記転写部は、基材および前記基材に重ねられた膜を有した転写体の前記膜を、前記画像が形成された前記一面に転写する。前記除去部は、前記カード基材に転写された前記膜のばりを除去する。
【図面の簡単な説明】
【０００６】
【図１】図１は、実施形態にかかるカード作成装置の構成の一例を正面から見て示す模式図である。
【図２】図２は、実施形態にかかるカードの一例を示す平面図である。
【図３】図３は、図２のＦ３−Ｆ３断面図である。
【図４】図４は、実施形態にかかる保護膜転写部の転写動作の一例を示す図である。
【図５】図５は、実施形態にかかる保護膜が転写された状態のカード基材の一例を示す平面図である。
【図６】図６は、実施形態にかかるスタッカユニットの一例を示す斜視図である。
【図７】図７は、実施形態にかかるスタッカユニットの一例を示す正面断面図である。
【図８】図８は、実施形態にかかるスタッカユニットの一例を示す平面図である。
【図９】図９は、実施形態にかかるスタッカユニットの一例を示す背面図である。
【図１０】図１０は、実施形態にかかるスタッカユニットの一例を示す正面図である。
【図１１】図１１は、実施形態にかかる除去部および搬送部を示す正面図である。
【図１２】図１２は、実施形態にかかる除去部および搬送部を示す正面図である。
【図１３】図１３は、実施形態にかかる除去部および搬送部を示す平面図である。
【図１４】図１４は、実施形態にかかる除去部および搬送部を示す側面図である。
【図１５】図１５は、実施形態にかかる除去部材の一例を示す側面図である。
【図１６】図１６は、実施形態にかかる除去部材の一例を示す正面図である。
【図１７】図１７は、実施形態にかかる板部材の一例を示す図である。
【図１８】図１８は、実施形態にかかる板部材が複数積層された状態の一例を示す図である。
【図１９】図１９は、実施形態にかかるカード基材と板部材とを模式的に示す正面図である。
【図２０】図２０は、実施形態にかかるカード基材と板部材とを模式的に示す側面図である。
【図２１】図２１は、実施形態にかかる除去部とパイプとを示す平面図である。
【図２２】図２２は、実施形態にかかる除去部とパイプとを示す側面図である。
【図２３】図２３は、実施形態にかかる除去部とパイプとを示す正面図である。
【発明を実施するための形態】
【０００７】
以下、図面を参照しながら、実施形態にかかるカード作成装置について詳細に説明する。
【０００８】
図１に示されるカード作成装置１は、一例として、図２に示されるカード１０（識別カード、ＩＤカード、カード媒体）を作成する。以下、カード１０、カード作成装置１の順に詳細に説明する。
【０００９】
カード１０は、図２および図３に示されるように、一例として、扁平な矩形板状（直方体状）の外観を呈している。カード１０は、カード基材１１と、保護膜１２と、を有している。
【００１０】
カード基材１１は、一例として、ポリエチレンテレフタレート（ＰＥＴ）からなる層を複数積層して形成され、扁平な矩形板状の外観を呈している。カード基材１１には、一例として、ＩＣチップおよびアンテナが埋め込まれている。ＩＣチップは、ＣＰＵ、ＲＯＭ、ＲＡＭ、ＥＥＰＲＯＭ、暗号処理用のプロセッサ、通信回路を内蔵している。アンテナは、カード基材１１の周縁に沿って環状に配設されてＩＣチップに接続されている。ＩＣチップは、アンテナを介して情報を送受信する。つまり、カード１０は、無線で情報を書き込み、読み出し可能な無線カード（非接触式カード）として構成されている。
【００１１】
カード基材１１は、表面１１ａ（一面、第一の面、画像形成面、面）とこの表面１１ａの反対側の裏面１１ｂ（他面、第二の面、裏面、面）とを有している。表面１１ａには、種々の識別情報を示す画像が形成されている。識別情報としては、例えば、カード所有者の顔画像１３、カード保有者の住所、氏名、生年月日、カード有効期限、登録番号等の文字情報１４等である。顔画像１３は、一例として、フルカラーで形成され、文字情報１４は、一例として、黒あるいは他の任意の色で印字されている。また、表面１１ａには、印刷された識別情報に重ねて、紫外線（ＵＶ）遮蔽膜（図示されず）と保護膜１２とが順に積層されている。紫外線遮蔽膜と保護膜１２とは、透明な膜である。紫外線遮蔽膜は、一例として、表面１１ａのうち顔画像１３が形成された部分にだけ部分的に設けられて、顔画像１３を被覆している。保護膜１２は、一例として、表面１１ａの全体または略全体を被覆している。なお、カード基材１１の表面１１ａには、識別情報以外の模様、マーク等の画像が予め形成されていてよい。
【００１２】
また、カード基材１１は、長手方向Ａ１の端部１１ｃ，１１ｄ（第一の端部）と、短手方向Ａ２の端部１１ｅ，１１ｆ（第二の端部）とを有している。カード基材１１の長手方向Ａ１および短手方向Ａ２は、それぞれカード基材１１の第一の幅方向および第二の幅方向の一例であり、短手方向Ａ２は、長手方向と交差（直交）している。
【００１３】
次に、カード作成装置１について説明する。カード作成装置１は、図１に示されるように、筐体２０を有している。筐体２０は、一例として、略直方体状の外観を呈している。筐体２０の内部の上部（上段部）には、供給部２１、画像形成部２２、および遮蔽膜転写部２３が並んで設けられている。カード基材１１は、供給部２１から送り出された後、画像形成部２２、および遮蔽膜転写部２３の順に搬送されて、方向変換部２４によって、筐体２０の中部（中段部）に搬送される。方向変換部２４は、表面１１ａが上方を向いた状態でカード基材１１が保護膜転写部２５に搬入されるように、カード基材１１の搬送方向を変換する。
【００１４】
筐体２０の中部には、方向変換部２４に続いて、保護膜転写部２５、紫外線照射部２６、カードリーダライタ２７、振り分け部２８、およびカードスタッカ２９が順に並んで設けられている。また、本実施形態では、一例として、振り分け部２８における搬送方向上流側に、除去部３０が設けられている。カード基材１１は、方向変換部２４から保護膜転写部２５、紫外線照射部２６、カードリーダライタ２７の順に搬送された後、振り分け部２８によって、カードスタッカ２９に設けられた複数の集積部２９ａ〜２９ｄのうちのいずれか一つに搬送される。カード作成装置１には、供給部２１から方向変換部２４を経由してカードスタッカ２９に至る搬送経路３３が設けられている。
【００１５】
また、筐体２０の下部（下段部）には、集塵部３１と、カード作成装置１の各部を制御する制御部３２と、が設けられている。制御部３２は、外部装置１００と通信可能に接続されている。
【００１６】
供給部２１は、カードホッパ３４と、ピックアップローラ３５と、を有している。カードホッパ３４は、表面１１ａを上にした複数枚のカード基材１１を水平状態で積層収納する。ピックアップローラ３５は、カードホッパ３４の下端部に設けられ、カードホッパ３４内に積層されたカード基材１１を最下部のカード基材１１から順に１枚ずつ送り出して画像形成部２２へ供給する。
【００１７】
画像形成部２２は、供給部２１から供給されたカード基材１１の表面１１ａに画像（識別情報）を形成する。画像形成部２２は、カラー画像印画部３６および印字部３７を有している。
【００１８】
カラー画像印画部３６は、識別情報としてカード保有者の顔画像を含むカラー画像を形成するものである。なお、カラー画像は、カラー文字を含んでいてよい。カラー画像印画部３６は、カード基材１１の搬送方向に沿って順次配列されたイエロー印画部３６Ｙ、マゼンダ印画部３６Ｍ、シアン印画部３６Ｃを有し、イエロー印画部３６Ｙ、マゼンダ印画部３６Ｍ、およびシアン印画部３６Ｃによってカード基材１１の表面１１ａにイエロー、マゼンダ、シアンの３色を逐次重ね合わせて昇華熱転写によって画像を形成する。一方、印字部３７は、識別情報として文字を黒色で溶融熱転写によって形成するものである。なお、一般に、溶融熱転写による画像形成は、昇華熱転写による画像形成と比較して画像のエッジがシャープであるため、文字画像の形成に適している。
【００１９】
各印画部３６Ｙ、３６Ｍ、３６Ｃおよび印字部３７は、プラテンローラ３８、サーマルプリントヘッド３９、およびリボン送り機構４０を有している。各印画部３６Ｙ、３６Ｍ、３６Ｃおよび印字部３７では、プラテンローラ３８とサーマルプリントヘッド３９とがカード基材１１を挟持した状態で、カード基材１１の表面１１ａとサーマルプリントヘッド３９との間に、インクリボン４１が介在する。なお、各印画部３６Ｙ、３６Ｍ、３６Ｃおよび印字部３７では、それぞれに対応したインクリボン４１が用いられる。そして、プラテンローラ３８によるカード基材１１の搬送およびリボン送り機構４０によるインクリボン４１の送りが行われながら、サーマルプリントヘッド３９によってインクリボン４１のインクがカード基材１１の表面１１ａに転写される。
【００２０】
遮蔽膜転写部２３および保護膜転写部２５は、カード基材１１の表面１１ａに膜を形成するものであり、膜形成部を構成している。遮蔽膜転写部２３は、カード基材１１の表面１１ａに紫外線遮蔽膜を形成する。一方、保護膜転写部２５は、紫外線遮蔽膜に重ねて紫外線硬化型の保護膜４６ｂ（図５参照）をカード基材１１の表面１１ａに転写する。
【００２１】
遮蔽膜転写部２３および保護膜転写部２５は、発熱体を内蔵したヒートローラ４３（ローラ、加熱部）、バックアップローラ４４（ローラ）、およびリボン送り機構４５を有している。遮蔽膜転写部２３および保護膜転写部２５では、ヒートローラ４３とバックアップローラ４４とがカード基材１１を挟持した状態で、カード基材１１の表面１１ａとヒートローラ４３との間に、転写リボン４６が介在する。転写リボン４６としては、遮蔽膜転写部２３には、透明なＵＶ遮蔽膜（層）が形成された転写リボン４６Ａが用いられ、保護膜転写部２５には、透明な保護膜４６ｂ（図４参照）が形成された転写リボン４６Ｂが用いられる。そして、バックアップローラ４４によるカード基材１１の搬送およびリボン送り機構４５による転写リボン４６の送りが行われながら、ヒートローラ４３に転写リボン４６のＵＶ遮蔽膜や保護膜４６ｂを押し当てた状態で、ヒートローラ４３によって膜（ＵＶ遮蔽膜や保護膜１２）を加熱することで、膜（ＵＶ遮蔽膜や保護膜４６ｂ）をカード基材１１の表面１１ａに感熱転写する。
【００２２】
図４には、保護膜転写部２５の転写動作の過程の一例が示されている。転写リボン４６Ｂ（転写体）は、基材４６ａおよび基材４６ａに重ねられた保護膜４６ｂ（膜、転写膜）を有している。基材４６ａは、長尺状のシート状部材である。保護膜４６ｂは、一例として、基材４６ａの一面に設けられている。保護膜４６ｂは、紫外線硬化性を有し、紫外線を受けることで硬化する。転写リボン４６Ｂは、ヒートローラ４３に沿って湾曲されて保護膜転写部２５にセットされている。保護膜転写部２５では、転写リボン４６Ｂにおいてヒートローラ４３に重なった部分の保護膜４６ｂが基材４６ａから剥離してカード基材１１の表面１１ａに転写される。このとき、本実施形態では、カード基材１１の表面１１ａには、端部１１ｃから端部１１ｄに向けて保護膜４６ｂが転写され、最終的に表面１１ａの全域（または略全域）に、保護膜４６ｂが転写される（設けられる）。このように、保護膜転写部２５は、基材４６ａおよび基材４６ａに重ねられた保護膜４６ｂを有した転写リボン４６Ｂの保護膜４６ｂを、画像が形成されたカード基材１１の表面１１ａに転写する。
【００２３】
保護膜転写部２５による保護膜４６ｂの際、一例として、図５に示されるように、カード基材１１に転写された保護膜４６ｂに、ばり４６ｃが発生することがある。ばり４６ｃは、一例として、転写された保護膜４６ｂのうち表面１１ａからはみ出した部分（はみ出し部）である。図４では、便宜上、ばり４６ｃにハッチングが施されている。ばり４６ｃは、一例として、カード基材１１の搬送方向でのカード基材１１の後側の端部１１ｄと、搬送方向と交差するカード基材１１の両端部１１ｅ，１１ｆと、に発生する。カード基材１１の搬送方向でのカード基材１１の前側の端部１１ｄでは、基材４６ａに対して保護膜４６ｂが良好に剥離されるため、ばり４６ｃの発生が抑制される。このように発生したばり４６ｃを除去するために、本実施形態では除去部３０が設けられている。
【００２４】
図１に示される紫外線照射部２６は、カード基材１１に転写された保護膜４６ｂに紫外線を照射して硬化させることで、保護膜１２を形成するものである。紫外線照射部２６は、ランプ４７（光源）と、カバー４８と、を有している。ランプ４７は、カード基材１１に設けられた保護膜４６ｂに向けて紫外線を照射する。カバー４８は、ランプ４７およびカード基材１１を覆う。カード基材１１の表面１１ａに転写された保護膜４６ｂは、ランプ４７から紫外線が照射されると、短時間で急速に硬化して、保護膜１２となる。保護膜１２は、硬化によってその表面が非常に硬くなっており、オーバコート層に比較して表面に傷が着きにくいため、カード１０の耐久性が大幅に向上する。また、前述した紫外線遮蔽膜は、保護膜４６ｂに紫外線を照射する際、表面１１ａに対する紫外線照射を遮蔽し、表面１１ａに形成された顔画像等のカラー画像の色落ち、劣化等を防止する。更に、カード１０の実際の使用において、紫外線遮蔽膜は、太陽光を遮蔽し、カラー画像の色落ち、劣化等を防止する。なお、本実施形態では、紫外線遮蔽膜がカード基材１１の表面１１ａに部分的に設けられているが、紫外線遮蔽膜は、カード基材１１の表面１１ａに全体的に設けられていてもよい。
【００２５】
図６〜図１０に示されるように、カードリーダライタ２７と、振り分け部２８と、カードスタッカ２９とは、スタッカユニット９０を構成している。カードリーダライタ２７と、振り分け部２８と、カードスタッカ２９とは、フレーム９１に支持されて一体化されている。
【００２６】
カードリーダライタ２７は、アンテナ４９（図１参照）と、通信制御部５０（図６参照）と、を有している。通信制御部５０は、アンテナ４９を介して、カード基材１１に内蔵されているＩＣチップに対して情報の読み書きを行う。通信制御部５０は、一例として、識別情報をＩＣチップに書き込む。
【００２７】
図１に示されるように、カードリーダライタ２７のアンテナ４９の下方には、複数の駆動ローラ５１が設けられているとともに、各駆動ローラ５１に対して、従動ローラ５２が対向して設けられている。従動ローラ５２は、駆動ローラ５１に対して接離可能であるとともに、ばね（付勢部材）によって駆動ローラ５１に向けて付勢されている。駆動ローラ５１は、モータ（駆動源）によって駆動されることで、従動ローラ５２とによって挟持したカード基材１１を振り分け部２８に向けて搬送する。
【００２８】
図１１〜図１５に示されるように、振り分け部２８は、駆動ローラ５１によって搬入されたカード基材１１を搭載可能なキャリア５４と、当該キャリア５４を駆動ローラ５１によるカード基材１１の搬送方向と交差（直交）する方向に沿って往復動させるキャリア駆動機構５５（図８参照）と、を有している。
【００２９】
キャリア５４は、本体５６と、駆動ローラ５７と、従動ローラ５８と、フレーム５９と、を有している。本体５６は、カード基材１１の裏面１１ｂと対面する下板部５６ａと、カード基材１１の表面１１ａに対面する上板部５６ｂと、側板部５６ｃと、を有している。なお、図１３では、上部材５６ｂは省略されている。本体５６は、フレーム５９に固定されている。従動ローラ５８は、本体５６に回転可能に支持されて駆動ローラ５７に対して接離可能であるとともに、ばね（付勢部材）によって駆動ローラ５７に向けて付勢されている。駆動ローラ５７は、フレーム５９に回転可能に支持されている。駆動ローラ５７は、モータ（駆動源）によって駆動される。駆動ローラ５７は、下板部５６ａと上板部５６ｂとの間に搬入されたカード基材１１を、従動ローラ５８とによって挟持可能である。また、駆動ローラ５７は、モータ（駆動源）によって駆動されることで、カード基材１１をカードスタッカ２９へ搬送する。ここで、駆動ローラ５７は、従動ローラ５８、駆動ローラ５１、従動ローラ５２とともに、第１搬送部６０を構成している。第１搬送部６０は、駆動ローラ５７を駆動するモータおよび駆動ローラ５１を駆動するモータを含む。第１搬送部６０は、保護膜４６ｂが形成されたカード基材１１を搬送する。
【００３０】
キャリア駆動機構５５（第２搬送部）は、キャリア５４を案内する複数の軸部材６１（図８参照）と、キャリア５４に連結された無端ベルトと、無端ベルトを輪転させるモータ６２（駆動源、図１０参照）と、を有している。キャリア駆動機構５５は、モータ６２によって無端ベルトを輪転させることで、キャリア５４を、第１搬送部６０の搬送方向（図６中の矢印Ｂ１方向）と交差（直交する）方向（図６中の矢印Ｂ２方向）に移動可能である。キャリア駆動機構５５は、キャリア５４を、カードスタッカ２９の複数の集積部２９ａ〜２９ｄのうちのいずれか一つの手前（上流）に位置させる。この状態で、駆動ローラ５７が回転駆動されることで、カード基材１１がその集積部２９ａ〜２９ｄに送り出される。
【００３１】
キャリア駆動機構５５は、第１搬送部６０とともに、搬送部６４を構成している。搬送部６４は、保護膜４６ｂが形成されたカード基材１１を搬送する搬送部である。以上の説明から分かるとおり、搬送部６４は、第１搬送部６０によって、カード基材１１の長手方向Ａ１（第一の幅方向）が搬送方向に沿う状態でカード基材１１を保護膜転写部２５から集積部２９ａ〜２９ｄへ向けて搬送する。また、搬送部６４は、第１搬送部６０によって、カード基材１１の長手方向Ａ１（第一の幅方向）が搬送方向に沿う状態でカード基材１１を搬送してから、キャリア駆動機構５５によって、短手方向Ａ２（第二の幅方向）が搬送方向に沿う状態でカード基材１１を搬送して、その後、カード基材１１を複数の集積部２９ａ〜２９ｄのいずれか一つに入れる。
【００３２】
カードスタッカ２９は、保護膜４６ｂが形成されたカード基材１１を集積する複数の集積部２９ａ〜２９ｄ（図６）を有している。複数の集積部２９ａ〜２９ｄは、キャリア駆動機構５５の搬送方向に沿って並列されている。別の言い方をすると、集積部２９ａ〜２９ｄは、カード基材１１の短手方向Ａ２（第二の幅方向、図６では矢印Ｂ２方向）に沿って並べられて複数設けられている。各集積部２９ａ〜２９ｄは、カード基材１１を表面１１ａが上を向いた状態で積層収納する。
【００３３】
図１に示された除去部３０は、カード基材１１に転写された保護膜４６ｂのばり４６ｃを除去するものである。除去部３０は、保護膜転写部２５から集積部２９ａ〜２９ｄへの搬送部６４によるカード基材１１の搬送中にばり４６ｃを除去する。
【００３４】
図１１〜図１４に示されるように、除去部３０は、一対の除去部材７１を有している。一対の除去部材７１は、第１搬送部６０での搬送方向において、駆動ローラ５１とキャリア５４との間に位置されている。一対の除去部材７１は、第１搬送部６０での搬送方向と直交するキャリア５４の幅方向に相互に間隔をあけて配置されている。除去部材７１は、二つの板部材７１ａ，７１ｂを有している、二つの板部材７１ａ，７１ｂは結合部材７２（ねじ）によって、板部材７１ｇ（固定部）に結合されている。板部材７１ｇ（固定部）は、筐体２０に固定されている。板部材７１ａ，７１ｂは、例えば金属（板ばね）やマイラー紙、工業用プラスチック、木片（例えば竹）等の各種の素材によって構成されうる。板部材７１ａ，７１ｂの材質の硬さは、カード基材１１の材質の硬さよりも柔らかいことが好適である。
【００３５】
図１５〜図２０に示されるように、各板部材７１ａ，７１ｂは、当部７１ｃ，７１ｄを有している。当部７１ｃ，７１ｄは、搬送部６４によるカード基材１１の搬送中に、カード基材１１に設けられた保護膜４６ｂと当たることでばり４６ｃを除去するものである。板部材７１ａ，７１ｂは、当部７１ｃ，７１ｄを含み弾性を有した板部７１ｅ，７１ｆを有する。また、当部７１ｃ，７１ｄは、カード基材１１の表面１１ａに対して傾斜して設けられ、カード基材１１の表面１１ａ側からカード基材１１の裏面１１ｂ側に向かうにつれカード基材１１の中央部１１ｇ（図５参照）から離れる。当部７１ｃ，７１ｄの傾斜角度は、例えば、カード基材１１の表面１１ａに対する垂直方向に対して１０度〜８０度の範囲であることが好適である。本実施形態では、一例として、当部７１ｃ，７１ｄの傾斜角度は、カード基材１１の表面１１ａに対する垂直方向に対して３０度となっている。上記のとおり、本実施形態では、除去部３０は、当部７１ｃ，７１ｄを含み板部材７１ｇ（固定部）に着脱可能に取り付けられた板部材７１ａ，７１ｂを有する。
【００３６】
また、当部７１ｃ，７１ｄは、カード基材１１の表面１１ａに対する垂直方向の位置を可変に設けられている。詳細には、各板部材７１ａ，７１ｂには、上下方向を長手方向とする長孔７１ｈ（図１７参照）が設けられており、この長孔７１ｈに結合部材７２が挿通されており、当該結合部材７２と長孔７１ｈとの上下方向の位置が可変となっている。なお、各板部材７１ａ，７１ｂは、一枚であってもよいし複数枚重ねて設けられてもよい。図１８には、板部材７１ａ，７１ｂが複数枚重ねられた状態が示されている。板部材７１ａ，７１ｂの枚数を変更することで、板部７１ｅ，７１ｆの弾性を変更することができる。
【００３７】
除去部３０は、当部７１ｃによって、カード基材１１の第一の幅方向（長手方向）が搬送方向に沿う状態での搬送部６４によるカード基材１１の搬送中に、端部１１ｅ，１１ｆ（第二の端部）のばり４６ｃを除去する。詳細には、第１搬送部６０によるカード基材１１の搬送過程で、当部７１ｃが、カード基材１１の端部１１ｅ，１１ｆに弾性変形しながら摺動する（図１９参照）。この際、当部７１ｃがばり４６ｃを掻き落とす。このとき、第１搬送部６０による搬送力ｆ１は、当部７１ｃによる摺動抵抗ｒ１よりも大きく設定されている。
【００３８】
また、除去部３０は、カード基材１１の第二の幅方向（短手方向）が搬送方向に沿う状態での搬送部６４（キャリア駆動機構５５）によるカード基材１１の搬送中に、端部１１ｃ，１１ｄ（第一の端部）のばり４６ｃを除去する。詳細には、キャリア駆動機構５５によるカード基材１１の搬送過程で、当部７１ｄが、カード基材１１の端部１１ｄに弾性変形しながら摺動する（図２０参照）。ここで、本実施形態では、一例として、集積部２９ｂの手前がキャリア５４のホームポジションとなっており、集積部２９ａ，２９ｃ，２９ｄへのカード基材１１の搬送では、キャリア５４がホームポジションから集積部２９ａ，２９ｃ，２９ｄへ向けて搬送される。そして、集積部２９ｂへのカード基材１１の搬送では、キャリア５４がホームポジションから一旦集積部２９ａの手前に移動され、その後、集積部２９ｂの手前（ホームポジション）に戻されてから、集積部２９ｂへ向けて搬送される。したがって、集積部２９ａ，２９ｂにカード基材１１が集積される場合には、一方の当部７１ｄが、ばり４６ｃを除去し、集積部２９ｃ，２９ｄにカード基材１１が集積される場合には、他方の当部７１ｄが、ばり４６ｃを除去する。このとき、キャリア駆動機構５５によるカード基材１１の搬送力ｆ２は、当部７１ｄによる摺動抵抗ｒ２よりも大きく設定されている。また、駆動ローラ５７と従動ローラ５８とによるカード基材１１の挟持力（ニップ力）は、当部７１ｃによる摺動抵抗ｒ１よりも大きく設定されている。
【００３９】
図１に示される集塵部３１は、除去部３０によって除去されたばり４６ｃを集めるものである。集塵部３１は、パイプ８１と、ファン８２と、フィルタ８３と、を有している。
【００４０】
パイプ８１は、図２１〜図２３に示されるように、一端部８１ａに設けられた開口部８１ｂが除去部７０（当部７１ｃ，７１ｄ）の下方に位置しており、パイプ８１には、開口部８１ｂから、除去されたばり４６ｃが入る。パイプ８１は、取付部材８６を介して筐体２０に固定されている。パイプ８１は、第１のパイプ部材８１ｃと第２のパイプ部材８１ｄを含む。第１のパイプ部材８１ｃは、一例として、開口部８１ｂが設けられた剛体である。一方、第２のパイプ部材８１ｄは、一例として、伸縮可能な蛇腹状に形成されて、第１のパイプ８１ｃに着脱可能となっている。
【００４１】
ファン８２は、パイプ８１の他端部に接続されており、パイプ８１に入ったばり４６ｃを吸引する。ファン８２は、一例として、シロッコファンである。
【００４２】
フィルタ８３は、ファン８２の吸込口側に設けられ、ファン８２によって吸引されるばり４６ｃを捕らえる。
【００４３】
また、図１に示されるように、ファン８２の吐出口側にはパイプ８４が接続されている。このパイプ８４の途中には、フィルタ８５が設けられている。
【００４４】
除去部３０で除去されたばり４６ｃは、パイプ８１の開口部８１ｂに向けて落下する。この際、ファン８２の吸引力によってばり４６ｃは開口部８１ｂへ吸引される。そして、パイプ８１に入ったばり４６ｃはファン８２に吸引されて、フィルタ８３に捕らえられる。また、フィルタ８３を通過したばり４６ｃは、ファン８２の吐出口から吐き出されてフィルタ８５に捕らえられる。そして、ファン８２の排気は、パイプ８４によって筐体２０外へ排出される。なお、筐体２０には、通気口が設けられており、ファン８２が動作すると、その通気口から外気が筐体２０内へ導入されるようになっている。
【００４５】
なお、カード作成装置１には、上述した以外にも搬送機構やセンサなどが設けられている。制御部３２は、センサによってカード基材１１の通過タイミング、通過枚数等を検出し、その検出情報に応じて、カード作成装置１の各部の動作を制御する。
【００４６】
以上、説明したように、本実施形態では、カード作成装置１は、カード基材１１に転写された保護膜４６ｂのばり４６ｃを除去する除去部３０を有する。したがって、カード基材１１に転写された保護膜４６ｂのばり４６ｃを除去することができる。これにより、美観が良好なカード１０を発行することができる。
【００４７】
また、本実施形態では、除去部３０は、搬送部６４によるカード基材１１の搬送中に保護膜４６ｂと当たることでばり４６ｃを除去する当部７１ｃ，７１ｄを有する。したがって、搬送部６４の搬送力を利用して、ばり４６ｃが除去されるので、除去部３０を比較的簡素な構成とすることができ、よって、カード作成装置１の大型化を抑制することができる。また、カード基材１１の搬送機構に特段の変更を行う必要がないので、設計工数の増大を抑制することができる。
【００４８】
また、本実施形態では、除去部３０は、当部７１ｃ，７１ｄを含み弾性を有した板部７１ｅ，７１ｆを有する。したがって、板部７１ｅ，７１ｆが弾性変形するので、当部７１ｃ，７１ｄがカード基材１１に当たってもカード基材１１に傷が付くことを抑制することができる。
【００４９】
また、本実施形態では、当部７１ｃ，７１ｄは、カード基材１１の表面１１ａに対して傾斜して設けられ、カード基材１１の表面１１ａ側からカード基材１１の裏面１１ｂ側に向かうにつれカード基材１１の中央部１１ｇから離れる。したがって、当部７１ｃ，７１ｄを主にカード基材１１の表面１１ａから突出したばり４６ｃに良好に当接させることができる。これにより、カード基材１１の位置がずれて搬送ジャムが発生することを抑制しつつ、ばり４６ｃを良好に除去することができる。
【００５０】
また、本実施形態では、当部７１ｃ，７１ｄは、カード基材１１の表面１１ａに対する垂直方向の位置を可変に設けられている。したがって、カード基材１１の厚さに応じて当部７１ｃ，７１ｄの位置を調整することができる。
【００５１】
また、本実施形態では、除去部３０が、当部７１ｃ，７１ｄを含み板部材７１ｇ（固定部）に着脱可能に取り付けられた板部材７１ａ，７１ｂを有する。したがって、板部材７１ａ，７１ｂを、カード基材１１の材質や大きさ等に応じた材質や硬さのものに容易に交換（変更）することができる。
【００５２】
また、本実施形態では、集塵部３１が、除去部３０によって除去されたばり４６ｃを集める。したがって、ばり４６ｃが散乱するのを抑制することができる。これにより、筐体２０内でばり４６ｃが浮遊するのを抑制することができ、カード基材１１の搬送ジャムの発生を抑制することができる。このように、カード基材１１の搬送ジャムの発生を抑制することができるので、連続かつ効率的にカード１０の作成を行うことができる。集塵部３１が、除去部３０によって除去されたばり４６ｃを集めるので、筐体２０の外側にばり４６ｃが散乱するのを抑制することができる。
【００５３】
本発明の実施形態を説明したが、上記実施形態は、例として提示したものであり、発明の範囲を限定することは意図していない。上記新規な実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【００５４】
１…カード作成装置、１１…カード基材、１１ａ…表面、１１ｂ…裏面、１１ｃ〜１１ｆ…端部、１１ｇ…中央部、２２…画像形成部、２５…保護膜転写部（転写部）、２９ａ〜２９ｄ…集積部、３０…除去部、３１…集塵部、４６ａ…基材、４６ｂ…保護膜（膜）、４６ｃ…ばり、６４…搬送部、７１ａ，７１ｂ…板部材、７１ｃ，７１ｄ…当部、７１ｅ，７１ｆ…板部、８１…パイプ、８１ａ…一端部、８１ｂ…開口部、８２…ファン、８３，８５…フィルタ。
【図１】
2014054751.tif 000003
【図２】
2014054751.tif 000004
【図３】
2014054751.tif 000005
【図４】
2014054751.tif 000006
【図５】
2014054751.tif 000007
【図６】
2014054751.tif 000008
【図７】
2014054751.tif 000009
【図８】
2014054751.tif 000010
【図９】
2014054751.tif 000011
【図１０】
2014054751.tif 000012
【図１１】
2014054751.tif 000013
【図１２】
2014054751.tif 000014
【図１３】
2014054751.tif 000015
【図１４】
2014054751.tif 000016
【図１５】
2014054751.tif 000017
【図１６】
2014054751.tif 000018
【図１７】
2014054751.tif 000019
【図１８】
2014054751.tif 000020
【図１９】
2014054751.tif 000021
【図２０】
2014054751.tif 000022
【図２１】
2014054751.tif 000023
【図２２】
2014054751.tif 000024
【図２３】
2014054751.tif 000025